(57)【特許請求の範囲】
【請求項１】
光透過性を有する包装材に包まれた判定対象の薬剤の画像を撮影する画像撮影部と、
薬剤の種類と対応付けて登録されたマスタ画像と、前記画像撮影部が撮影した前記判定対象の薬剤の画像とを用いて、前記判定対象の薬剤の種類を判定する判定部と、
種類が前記マスタ画像に写った薬剤の種類と一致すると前記判定部が判定した前記判定対象の薬剤を包んだ前記包装材について、前記画像撮影部が撮影した画像の鮮明度に影響を及ぼす光学特性を示す特性情報を取得する特性情報取得部と、
登録された前記マスタ画像を、前記判定対象の薬剤の画像に更新するための更新処理を実行する更新処理部と、を有し、
前記判定対象の薬剤の種類が前記マスタ画像に写った薬剤の種類と一致すると前記判定部が判定した場合に、前記更新処理部は、前記特性情報取得部が取得した前記特性情報が示す前記光学特性が、前記光学特性に対する基準を満たしているかどうかを判断し、前記光学特性が前記基準を満たしているときに前記更新処理を実行することを特徴とする薬剤判定装置。
【請求項２】
前記特性情報取得部は、前記包装材の光透過率を示す前記特性情報を取得し、
前記判定対象の薬剤の種類が前記マスタ画像に写った薬剤の種類と一致すると前記判定部が判定した場合に、前記更新処理部は、前記特性情報取得部が取得した前記特性情報が示す前記光透過率が、閾値を超えているかどうかを判断し、前記光透過率が前記閾値を超えているときに前記更新処理を実行する請求項１に記載の薬剤判定装置。
【請求項３】
前記包装材の前記光学特性を計測する計測部を有し、
前記計測部は、前記薬剤判定装置の内部に設けられており、
前記特性情報取得部は、前記計測部が計測した前記光学特性を示す前記特性情報を取得する請求項１又は請求項２に記載の薬剤判定装置。
【請求項４】
前記包装材の前記光学特性を計測する計測部が、前記薬剤判定装置の外部に設けられており、
前記特性情報取得部は、前記計測部が計測した前記光学特性を示す前記特性情報が前記薬剤判定装置に入力されることにより、前記計測部が計測した前記光学特性を示す前記特性情報を取得する請求項１又は請求項２に記載の薬剤判定装置。
【請求項５】
前記包装材は、袋状の包装袋であり、
前記包装袋が連続して並んだ帯状の包装袋連続体を搬送路に沿って搬送する搬送部を有し、
前記画像撮影部は、前記搬送路の途中位置で前記画像を前記包装袋毎に撮影し、
前記計測部は、前記搬送路の途中位置で前記包装袋連続体中の少なくとも一つの前記包装袋を対象として前記光学特性を計測する請求項３に記載の薬剤判定装置。
【請求項６】
前記画像撮影部が前記画像を撮影する際に、前記包装袋連続体中、前記画像撮影部の撮影範囲内にある前記包装袋に向けて光を照射する光照射部を更に有する請求項５に記載の薬剤判定装置。
【請求項７】
前記包装袋連続体の中には、薬剤が入っていない空の前記包装袋が含まれており、
前記計測部は、空の前記包装袋を対象として前記光学特性を計測する請求項５又は請求項６に記載の薬剤判定装置。
【請求項８】
前記判定対象の薬剤の種類が前記マスタ画像に写った薬剤の種類と一致すると前記判定部が判定した場合に、前記更新処理部は、前記特性情報取得部が取得した前記特性情報が示す前記光透過率が前記閾値、及び前記マスタ画像に写った前記包装材の前記光透過率を超えているかを判断し、前記特性情報取得部が取得した前記特性情報が示す前記光透過率が前記閾値、及び前記マスタ画像に写った前記包装材の前記光透過率を超えているときに前記更新処理を実行する請求項２に記載の薬剤判定装置。
【請求項９】
前記判定対象の薬剤の種類が前記マスタ画像に写った薬剤の種類と一致すると前記判定部が判定した場合に、前記更新処理部は、前記特性情報取得部が取得した前記特性情報が示す前記光透過率が前記閾値を超えており、且つ、前記判定対象の薬剤の撮影位置が前記マスタ画像に写った薬剤の撮影位置よりも前記画像撮影部の撮影範囲の中央に近いかどうかを判断し、前記特性情報取得部が取得した前記特性情報が示す前記光透過率が前記閾値を超えており、且つ、前記判定対象の薬剤の撮影位置が前記マスタ画像に写った薬剤の撮影位置よりも前記画像撮影部の撮影範囲の中央に近いときに前記更新処理を実行する請求項２に記載の薬剤判定装置。
【請求項１０】
前記特性情報取得部は、前記包装材の光透過性及び光散乱特性のうちの少なくとも一つを示す前記特性情報を取得する請求項１に記載の薬剤判定装置。
【請求項１１】
前記特性情報取得部は、前記包装材の光透過率、ヘイズ値、及びコントラストと空間周波数との対応関係を示すＭｏｄｕｌａｔｉｏｎ Ｔｒａｎｓｆｅｒ Ｆｕｎｃｔｉｏｎ曲線のうちの少なくとも一つを示す前記特性情報を取得する請求項１０に記載の薬剤判定装置。
【請求項１２】
薬剤を処方するために設定された処方条件を示す処方条件情報を取得する処方条件取得部を更に有し、
前記判定部は、前記処方条件情報から特定される薬剤の種類と対応した前記マスタ画像と、前記画像撮影部が撮影した前記判定対象の薬剤の画像と、を用いて、前記判定対象の薬剤の種類を判定する請求項１乃至請求項１１のいずれか一項に記載の薬剤判定装置。
【請求項１３】
光透過性を有する包装材に包まれた判定対象の薬剤の画像を、画像撮影部によって撮影する工程と、
薬剤の種類と対応付けて登録されたマスタ画像と、前記画像撮影部によって撮影した前記判定対象の薬剤の画像とを用いて、前記判定対象の薬剤の種類を判定する工程と、
種類が前記マスタ画像に写った薬剤の種類と一致すると判定された前記判定対象の薬剤を包んだ前記包装材について、前記画像撮影部によって撮影した画像の鮮明度に影響を及ぼす光学特性を示す特性情報を取得する工程と、
登録された前記マスタ画像を、前記判定対象の薬剤の画像に更新するための更新処理を実行する工程と、を有し、
前記判定対象の薬剤の種類が前記マスタ画像に写った薬剤の種類と一致すると判定された場合に、前記判定対象の薬剤を包んだ前記包装材について取得した前記特性情報が示す前記光学特性が、前記光学特性に対する基準を満たしているかどうかを判断し、前記光学特性が前記基準を満たしているときに前記更新処理を実行することを特徴とする薬剤判定方法。
【発明の詳細な説明】
【技術分野】
【０００１】
本発明は、薬剤判定装置及び薬剤判定方法に係り、特に、薬剤の種類と対応付けて登録されたマスタ画像と、判定対象の薬剤の撮影画像と、を用いて判定対象の薬剤の種類を判定する薬剤判定装置及び薬剤判定方法に関する。
【背景技術】
【０００２】
分包紙等の包装袋に薬剤が処方箋の指示通りに正しく分包されているかを、機械等によって自動的に鑑査することは、既に知られている。このような自動鑑査装置（以下、薬剤判定装置と言う。）では、例えば、装置内で、包装袋に包まれた薬剤の画像を撮影する。そして、撮影画像に写った薬剤の種類及び個数を判定する。
【０００３】
また、例えば、特許文献１に記載の判定方法（特に、特許文献１の請求項１及び段落００２１〜００２２参照）では、判定対象のワークの撮影画像と、基準画像である良品ワークの画像（以下、マスタ画像）とを比較して、判定対象のワークが良品ワークと一致するか否かを判定する。
【０００４】
また、特許文献１に記載の判定方法では、判定において良品ワークと一致すると判断された判定対象のワークの撮影画像を、新たなマスタ画像としてマスタ画像を更新する。これにより、常に、良品ワークと一致すると判定されたワークの最新の撮影画像をマスタ画像として画像比較を行うことになる。この結果、例えば、画像撮影のタイミングでの照明の照度が異なったり、徐々に照度が変化したりしたとしても、照明の調整、閾値の変更、及びマスタ画像の再登録といった処置を行うことなく、判定を継続して実行することが可能となる。つまり、特許文献１に記載の判定方法によれば、マスタ画像を固定登録する場合よりも、環境変化に影響を受け難くなるために適切に判定を行うことが可能である。
【先行技術文献】
【特許文献】
【０００５】
【特許文献１】特開２００５−２４９６１５号公報
【発明の概要】
【発明が解決しようとする課題】
【０００６】
ところで、判定対象の薬剤の画像を撮影する際には、光透過性を有する包装袋に包まれた状態で（つまり、包装袋越しで）薬剤を撮影することになる。このため、撮影画像の鮮明度は、包装袋の光学特性（具体的には、光透過性及び光散乱性）に応じて変化することになる。一方、特許文献１に記載の判定方法のように、常に、良品ワークと一致すると判定されたワークの最新の撮影画像をマスタ画像として登録する場合、例えば、光透過性の低い包装袋によって包まれた薬剤の画像をマスタ画像として登録してしまうと、そのマスタ画像を用いて行われる以降の判定が適切に行われない可能性がある。
【０００７】
本発明は、上記の事情に鑑みてなされたものであり、画像の鮮明度に影響を及ぼす包装材の光学特性を考慮した上でマスタ画像を的確に更新することが可能な薬剤判定装置及び薬剤判定方法を提供することを目的とする。
【課題を解決するための手段】
【０００８】
上記の目的を達成するために、本発明の薬剤判定装置は、光透過性を有する包装材に包まれた判定対象の薬剤の画像を撮影する画像撮影部と、薬剤の種類と対応付けて登録されたマスタ画像と、画像撮影部が撮影した判定対象の薬剤の画像とを用いて、判定対象の薬剤の種類を判定する判定部と、種類がマスタ画像に写った薬剤の種類と一致すると判定部が判定した判定対象の薬剤を包んだ包装材について、画像撮影部が撮影した画像の鮮明度に影響を及ぼす光学特性を示す特性情報を取得する特性情報取得部と、登録されたマスタ画像を、判定対象の薬剤の画像に更新するための更新処理を実行する更新処理部と、を有し、判定対象の薬剤の種類がマスタ画像に写った薬剤の種類と一致すると判定部が判定した場合に、更新処理部は、特性情報取得部が取得した特性情報が示す光学特性が、光学特性に対する基準を満たしているかどうかを判断し、光学特性が基準を満たしているときに更新処理を実行することを特徴とする。
【０００９】
また、特性情報取得部は、包装材の光透過率を示す特性情報を取得し、判定対象の薬剤の種類がマスタ画像に写った薬剤の種類と一致すると判定部が判定した場合に、更新処理部は、特性情報取得部が取得した特性情報が示す光透過率が、閾値を超えているかどうかを判断し、光透過率が閾値を超えているときに更新処理を実行すると好ましい。
また、包装材の光学特性を計測する計測部を有し、計測部は、薬剤判定装置の内部に設けられており、特性情報取得部は、計測部が計測した光学特性を示す特性情報を取得すると好ましい。
【００１０】
また、包装材の光学特性を計測する計測部が、薬剤判定装置の外部に設けられており、特性情報取得部は、計測部が計測した光学特性を示す特性情報が計測部から薬剤判定装置に入力されることにより、計測部が計測した光学特性を示す特性情報を取得してもよい。
【００１１】
また、包装材は、袋状の包装袋であり、包装袋が連続して並んだ帯状の包装袋連続体を搬送路に沿って搬送する搬送部を有し、画像撮影部は、搬送路の途中位置で画像を包装袋毎に撮影し、計測部は、搬送路の途中位置で包装袋連続体中の少なくとも一つの包装袋を対象として光学特性を計測すると好ましい。
また、画像撮影部が画像を撮影する際に、包装袋連続体中、画像撮影部の撮影範囲内にある包装袋に向けて光を照射する光照射部を更に有すると好ましい。
また、包装袋連続体の中には、薬剤が入っていない空の包装袋が含まれており、計測部は、空の包装袋を対象として光学特性を計測すると好ましい。
【００１２】
また、判定対象の薬剤の種類がマスタ画像に写った薬剤の種類と一致すると判定部が判定した場合に、更新処理部は、特性情報取得部が取得した特性情報が示す光透過率が閾値、及びマスタ画像に写った包装材の光透過率を超えているかを判断し、特性情報取得部が取得した特性情報が示す光透過率が閾値、及びマスタ画像に写った包装材の光透過率を超えているときに更新処理を実行すると好ましい。
【００１３】
また、判定対象の薬剤の種類がマスタ画像に写った薬剤の種類と一致すると判定部が判定した場合に、更新処理部は、特性情報取得部が取得した特性情報が示す光透過率が閾値を超えており、且つ、判定対象の薬剤の撮影位置がマスタ画像に写った薬剤の撮影位置よりも画像撮影部の撮影範囲の中央に近いかどうかを判断し、特性情報取得部が取得した特性情報が示す光透過率が閾値を超えており、且つ、判定対象の薬剤の撮影位置がマスタ画像に写った薬剤の撮影位置よりも画像撮影部の撮影範囲の中央に近いときに更新処理を実行すると好ましい。
【００１４】
また、特性情報取得部は、包装材の光透過性及び光散乱特性のうちの少なくとも一つを示す特性情報を取得すると好ましい。
また、特性情報取得部は、包装材の光透過率、ヘイズ値、及びコントラストと空間周波数との対応関係を示すＭｏｄｕｌａｔｉｏｎＴｒａｎｓｆｅｒＦｕｎｃｔｉｏｎ曲線のうちの少なくとも一つを示す特性情報を取得すると好ましい。
【００１５】
また、薬剤を処方するために設定された処方条件を示す処方条件情報を取得する処方条件取得部を更に有し、判定部は、処方条件情報から特定される薬剤の種類と対応したマスタ画像と、画像撮影部が撮影した判定対象の薬剤の画像と、を用いて、判定対象の薬剤の種類を判定すると好ましい。
【００１６】
また、前述の目的を達成するために、本発明の薬剤判定方法は、光透過性を有する包装材に包まれた判定対象の薬剤の画像を、画像撮影部によって撮影する工程と、薬剤の種類と対応付けて登録されたマスタ画像と、画像撮影部によって撮影した判定対象の薬剤の画像とを用いて、判定対象の薬剤の種類を判定する工程と、種類がマスタ画像に写った薬剤の種類と一致すると判定された判定対象の薬剤を包んだ包装材について、画像撮影部によって撮影した画像の鮮明度に影響を及ぼす光学特性を示す特性情報を取得する工程と、登録されたマスタ画像を、判定対象の薬剤の画像に更新するための更新処理を実行する工程と、を有し、判定対象の薬剤の種類がマスタ画像に写った薬剤の種類と一致すると判定された場合に、判定対象の薬剤を包んだ包装材について取得した特性情報が示す光学特性が、光学特性に対する基準を満たしているかどうかを判断し、光学特性が基準を満たしているときに更新処理を実行することを特徴とする。
【発明の効果】
【００１７】
本発明の薬剤判定装置及び薬剤判定方法によれば、判定対象の薬剤の種類がマスタ画像に写った薬剤の種類と一致すると判定された場合に、判定対象の薬剤を包んだ包装材の光学特性が基準を満たしているか判断し、その光学特性が基準を満たしているとき、判定対象の薬剤の撮影画像を用いてマスタ画像を更新する。これにより、判定対象の薬剤の撮影画像の鮮明度に応じて画像更新の要否を判断し、更新が必要である場合（例えば、マスタ画像の更新が後の判定で有利になる場合等）にマスタ画像を更新することが可能となる。
【図面の簡単な説明】
【００１８】
【図１】薬剤処方作業の流れを示す図である。
【図２】包装袋連続体を示した図である。
【図３】本発明の一実施形態に係る薬剤判定装置が有する装置本体の内部構造を示す概略図である。
【図４】画像撮影部の撮影範囲と、その範囲内に入っている包装袋連続体の一部分を示す図である。
【図５】光照射部が有する複数の発光部を上方から見たときの模式図である。
【図６】本発明の一実施形態に係る薬剤判定装置が有する処理装置の構成を示すブロック図である。
【図７】判定部による判定フローの大まかな流れを示す図である。
【図８】薬剤抽出画像の説明図である。
【図９】マスタ画像が登録されたデータベースの説明図である。
【図１０】マスタ画像管理テーブルの説明図である。
【図１１】更新処理部による更新フローの流れを示す図である。
【図１２】更新処理実行の要否を判断する手順についての説明図である。
【図１３】本発明の一実施形態に係る薬剤判定装置の基本動作の流れを示す図である。
【図１４】積分球を用いて包装材の光学特性を計測する方法を示す模式図である。
【図１５】Ｍｏｄｕｌａｔｉｏｎ Ｔｒａｎｓｆｅｒ Ｆｕｎｃｔｉｏｎ（ＭＴＦ）曲線を示す図である。
【発明を実施するための形態】
【００１９】
以下、本発明の薬剤判定装置及び薬剤判定方法について詳細に説明する。
以下に記載する構成要件の説明は、本発明の代表的な実施態様に基づいてなされることがあるが、本発明は、そのような実施態様に限定されるものではない。すなわち、以下の実施形態は、本発明の薬剤判定装置及び薬剤判定方法を分かり易く説明するための一例であるが、本発明を限定するものではない。また、当然ながら、本発明の主旨を逸脱しない範囲において、種々の改良又は変更を行ってもよい。
【００２０】
なお、本明細書において、「薬剤」とは、固形物状の薬剤を意味し、具体的には錠剤及びカプセル剤が該当する。
【００２１】
＜＜薬剤処方作業について＞＞
本発明の一実施形態に係る薬剤判定装置（以下、薬剤判定装置１０）について説明するにあたり、先ず、薬剤判定装置１０を用いて行われる薬剤処方作業について概説する。薬剤処方作業では、図１に示すように処方箋入力作業、ピッキング作業、自動分包作業、調剤鑑査作業及び処方作業が順に行われる。図１は、薬剤処方作業の流れを示す図である。
【００２２】
処方箋入力作業では、処方箋に記載されている処方条件を、薬剤師がコンピュータ（以下、処方条件入力装置５０）に入力する。ここで、処方条件とは、患者に対して薬剤を処方するために設定された条件である。入力される処方条件の内容は、例えば、患者の氏名、年齢、処方される薬剤の種類、種類別の処方数量等である。なお、以下の説明では、複数回の服用を前提とし、一服用分の処方数量が同一量であるとする。ただし、これに限定されるものではなく、一服用分のみの薬剤が処方されてもよい。また、一服用分の薬剤の種類及び処方数量が各回で異なってもよい。
【００２３】
ピッキング作業では、薬剤師が処方条件に基づき、処方条件に応じた種類の薬剤を、それぞれ処方条件に応じた数量の分だけ薬剤棚５５からピッキングする。なお、ピッキング作業については、薬剤師が手作業で行う場合に限らず、公知の自動ピッキング装置が処方条件入力装置５０に入力された処方条件に基づき自動的に行ってもよい。
【００２４】
また、本実施形態においてピッキングされる薬剤は、いずれも、その表面に識別情報が形成されているものである。「識別情報」とは、薬剤の種類（薬種）を識別するための文字、数字及び記号等であり、刻印あるいは印字によって形成されたものである。なお、本実施形態では、薬剤の表面に識別情報が刻印（凹部加工）によって形成されていることとする。ただし、上記の実施形態に限定されるものではなく、ピッキングされる薬剤の中に識別情報が形成されていないものが含まれていてもよく、また、印字によって識別情報が形成された薬剤が含まれていてもよい。
【００２５】
自動分包作業では、ピッキング作業でピッキングされた薬剤を薬剤師が図１に図示の分包機６０のトレイにセットし、分包機６０がトレイ内の薬剤を自動的に分包する。この際、ピッキングされた薬剤は、一服用分毎にトレイにセットされ、複数の包装袋１のそれぞれに一服用分の薬剤が分包される。包装袋１は、袋状の分包袋であり、光透過性を有する包装材である。包装袋１の材料としては、例えば、セロファンとポリエチレンとのラミネートフィルム及びポリエチレンフィルム等が挙げられる。
【００２６】
薬剤が分包された複数の包装袋１は、自動分包作業の終了時点において、図２に示すように連続して並んで帯状の包装袋連続体３を構成している。薬剤服用時には、包装袋連続体３から一袋分の包装袋１を切り離し、切り離した包装袋１に包まれた薬剤を服用する。図２は、包装袋連続体３を示した図である。
なお、複数の包装袋１は、自動分包作業の終了時点で包装袋連続体３として連続している場合に限らず、個々に分離していてもよい。
【００２７】
また、自動分包作業の終了時点において、包装袋連続体３の一端に位置する包装袋１は、図２に示すように、薬剤が入っていない空の包装袋１（以下、空袋１Ａと言う。）となっている。空袋１Ａは、内部に薬剤が入っていない点を除き、薬剤を包んだ状態の包装袋１と共通している。なお、空袋１Ａについては、包装袋連続体３の端以外の場所に設けられていてもよく、また、包装袋連続体３中に空袋１Ａが含まれていなくてもよい。
【００２８】
調剤鑑査作業では、図１に図示の薬剤判定装置１０を用いて、処方される薬剤が正しいかどうかを鑑査する。具体的には、包装袋連続体３中の各包装袋１に包まれた薬剤の種類及び個数（厳密には、種類毎の個数）が、処方箋にて指示された内容どおりであるか否かを鑑査する。
【００２９】
処方作業は、患者（処方先）に対して、調剤鑑査作業で正しい（処方箋の内容に従っている）と判断された分包済みの薬剤の処方を行う。このとき、薬剤師は、包装袋連続体３の一端に位置する空袋１Ａを取り外し、残った包装袋連続体３を患者に手渡す。
【００３０】
＜＜薬剤判定装置の構成＞＞
次に、薬剤判定装置１０の構成について説明する。
薬剤判定装置１０は、調剤鑑査用に用いられ、自動分包作業で包装袋１に包まれた薬剤の種類及び個数（厳密には、種類毎の個数）を判定する。ここで、一つの包装袋１に包まれた（分包された）薬剤は、本発明の「判定対象の薬剤」に相当する。
【００３１】
薬剤判定装置１０は、図１に示すように、判定対象となる薬剤（詳しくは、各包装袋１に包まれた薬剤）の画像を撮影する機能を有する装置本体１１と、装置本体１１にて撮影された画像に基づいて調剤鑑査を行う機能を有する処理装置１２と、によって構成されている。
【００３２】
装置本体１１は、図１に図示の筐体１３を有し、筐体１３内に、図３に図示の搬送部１４と配置部１５と画像撮影部１６と光照射部１７とを有する。図３は、装置本体１１の内部構造を示す概略図である。また、装置本体１１の筐体１３には、包装袋連続体３を装置本体１１の内部に導入するための導入部１３ａと、装置本体１１の内部に導入された包装袋連続体３を装置本体１１の外に排出するための不図示の排出部と、が設けられている。
【００３３】
搬送部１４は、装置本体１１の内部に形成された搬送路１８を有し、包装袋連続体３を搬送路１８に沿って搬送するものである。導入部１３ａから装置本体１１の内部に導入された包装袋連続体３は、搬送部１４の搬送動作により、搬送路１８の下流側に向かって移動し、やがて排出部を通過して装置本体１１の外に排出される。ここで、「下流側」とは、搬送方向において排出部により近い側を意味し、上流側とは、下流側とは反対側、すなわち、搬送方向において導入部１３ａにより近い側を意味する。
【００３４】
なお、本実施形態において、搬送路１８は、水平な経路となっており、搬送部１４は、包装袋連続体３の長手方向が搬送路１８（すなわち、搬送方向）に沿い、且つ、包装袋連続体３の厚み方向が上下方向（鉛直方向）に沿った状態で搬送する。
【００３５】
搬送部１４は、図３に示すように、上流側駆動部１４Ｕと下流側駆動部１４Ｄとを有する。上流側駆動部１４Ｕは、配置部１５の上流側に配置されており、下流側駆動部１４Ｄは、配置部１５の下流側に配置されている。上流側駆動部１４Ｕ及び下流側駆動部１４Ｄの各々は、上下一対のニップローラ１４ａ、１４ｂと、上下一対のニップローラ１４ａ、１４ｂのうちの一方を回転駆動する不図示のモータと、を有する。上下一対のニップローラ１４ａ、１４ｂは、包装袋連続体３が通れる程度の隙間を空けて並んでおり、ローラ間に包装袋連続体３を挟持した状態で回転する。これにより、包装袋連続体３は、若干のテンション（張力）が掛かった状態で搬送される。
【００３６】
また、本実施形態では、上記のモータが断続的に回転することになっている。このため、搬送部１４は、間欠的に搬送動作を行うことになる。一回の搬送動作では、包装袋連続体３が搬送方向に沿って所定量だけ移動する。一回の搬送動作における包装袋連続体３の移動量（搬送量）については、後述する処理装置１２の制御部２１によって設定される。
【００３７】
なお、本実施形態の搬送部１４は、上記のモータの回転方向を切り換えることにより、搬送方向の上流側及び下流側の双方に搬送することが可能である。搬送の向きについては、処理装置１２の制御部２１によって設定される。
【００３８】
また、本実施形態では、ローラの回転駆動を利用した搬送機構（すなわち、ローラコンベア）を用いることとしたが、包装袋連続体３を好適に搬送し得るものである限り、他の搬送機構を利用してもよく、例えば、無端状のベルトの上面に包装袋連続体３を載せた状態でベルトを回転駆動させて包装袋連続体３を搬送するベルトコンベアを用いてもよい。
【００３９】
配置部１５は、判定対象の薬剤が包装袋１に包まれた状態で配置される部分であり、図３に示すように、搬送路１８の途中位置に設けられている。配置部１５は、矩形枠体状の台であり、包装袋１が一つ載る程度のサイズを有する。また、搬送部１４による包装袋連続体３の搬送により、包装袋連続体３中、配置部１５に配置される包装袋１が順次切り換わる。
【００４０】
なお、配置部１５に配置された状態にある包装袋１の上面（装置本体１１の上側を向く表面、以下同様。）については、その全領域が露出しており、また、包装袋１の下面（装置本体１１の上側を向く表面、以下同様。）については、縁部以外の領域が露出している。包装袋１の縁部とは、包装袋１を構成するフィルムシートを二枚重ねて圧着することで形成されたシール部分のことである。
【００４１】
画像撮影部１６は、包装袋連続体３中の各包装袋１に包まれた薬剤、すなわち、判定対象の薬剤の画像を搬送路１８の途中位置で包装袋１毎に撮影するものである。より詳しく説明すると、画像撮影部１６は、配置部１５に配置されている包装袋１及びその包装袋１内の薬剤の画像を、配置部１５に配置されている包装袋１が切り換わる度に撮影する。
【００４２】
画像撮影部１６は、図３に示すように、複数のカメラとして上下２つのカメラを有する。上側にあるカメラ（以下、第一カメラ１６ａと言う。）は、配置部１５の直上位置に配置されており、配置部１５に配置された包装袋１に包まれた薬剤の画像を上方から撮影する。下側のカメラ（以下、第二カメラ１６ｂと言う。）は、配置部１５の直下位置に配置されており、配置部１５に配置された包装袋１に包まれた薬剤の画像を下方から撮影する。ここで、本実施形態において、「薬剤の画像」とは、包装袋１越しに撮影された薬剤の画像を意味する。
【００４３】
本実施形態では、搬送部１４による搬送動作が間欠的に行われることになっており、画像撮影部１６は、搬送動作の間に、配置部１５に配置された包装袋１、及びその包装袋１に包まれた薬剤の画像を撮影する。そして、画像撮影部１６は、搬送動作により配置部１５に配置される包装袋１が切り換わる都度、配置部１５に配置された包装袋１、及びその包装袋１に包まれた薬剤の画像を撮影する。
【００４４】
本実施形態において、第一カメラ１６ａの撮影範囲は、図４に示すように矩形領域（図４中、破線で示された矩形領域）であり、配置部１５に配置された包装袋１の上面の全面と、その両側に位置する包装袋１の上面の一部（厳密には、端部分）と、を撮影可能な範囲と設定されている。換言すると、包装袋連続体３中、第一カメラ１６ａの撮影範囲内にある部分は、撮影対象部分３ｘに該当し、その部分には、図４に示すように、少なくとも包装袋３間の切り取り線３ｙが位置している。ここで、切り取り線３ｙは、包装袋連続体３において包装袋３間の境界位置に形成された境界凹部であり、より具体的には破線状の直線溝によって構成され、包装袋連続体３の横幅方向において包装袋連続体３の一端から他端に亘って形成されている。
なお、図４は、画像撮影部１６の撮影範囲と、その範囲内に入っている包装袋連続体３の一部分を示す図である。
【００４５】
同様に、下側のカメラ１６ｂの撮影範囲は、矩形領域であり、配置部１５に配置された包装袋１の下面のうち、配置部１５の内側にあって露出している領域と、その両側に位置する包装袋１の下面の一部（厳密には、端部分）と、を撮影可能な範囲に設定されている。換言すると、包装袋連続体３中、第二カメラ１６ｂの撮影範囲内にある部分は、撮影対象部分３ｘに該当し、その部分には、少なくとも包装袋１間の切り取り線３ｙが含まれている。
【００４６】
なお、画像撮影部１６は、被写体の画像データを取得する機能を有するものであればよく、例えば、ＣＣＤ（Ｃｈａｒｇｅ−ＣｏｕｐｌｅｄＤｅｖｉｃｅ）イメージセンサ又はＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）イメージセンサ等が挙げられるが、これらに限定されない。
また、本実施形態では、画像撮影部１６が２台のカメラによって構成されていることとしたが、カメラの台数については、特に限定されるものではなく、１台のみであってもよく、あるいは、３台以上であってもよい。
また、本実施形態では、配置部１５を上下に挟む位置にカメラが設置されていることとしたが、カメラの設置位置については、配置部１５に配置された包装袋１、及びその包装袋１に包まれた薬剤の画像を良好に撮影し得る位置である限り、任意の位置に設定することが可能である。
【００４７】
光照射部１７は、画像撮影部１６が画像を撮影する際に、配置部１５に配置された包装袋１、及びその包装袋１に包まれた薬剤（すなわち、判定対象の薬剤）に対して光を照射するものである。より詳しくは、光照射部１７は、画像撮影部１６が画像を撮影する際に、包装袋連続体３中、画像撮影部１６の撮影範囲内にある包装袋１（厳密には、撮影対象部分３ｘの表面）に向けて光を照射する。
【００４８】
光照射部１７は、図５に示すように、複数の発光部を有しており、本実施形態では４つの発光部１７ａ、１７ｂ、１７ｃ、１７ｄを有する。図５は、光照射部１７が有する複数の発光部を上方から見たときの模式図である。４つの発光部１７ａ、１７ｂ、１７ｃ、１７ｄは、光照射部１７が光を照射する際に用いる光源であり、図５に示すように配置部１５の四方のそれぞれに配置されている。そして、光照射部１７は、４つの発光部１７ａ、１７ｂ、１７ｃ、１７ｄ（複数の発光部）を用いて、互いに異なる方向に光を照射する。
【００４９】
具体的に説明すると、２つの発光部１７ａ、１７ｂは、搬送方向において、配置部１５から見て互いに反対側の位置に配置されており、互いに反対向きに光を発する。すなわち、一方の発光部１７ａ（以下、第一発光部１７ａと言う。）は、搬送方向上流側から、搬送方向下流側にある配置部１５に向かって光を発する。もう一方の発光部１７ｂ（以下、第二発光部１７ｂと言う。）は、搬送方向下流側から、搬送方向上流側にある配置部１５に向かって光を発する。
【００５０】
４つの発光部１７ａ、１７ｂ、１７ｃ、１７ｄのうち、残り２つの発光部１７ｃ、１７ｄは、搬送方向を横切る方向（以下では、交差方向）において配置部１５から見て互いに反対側の位置に配置されており、互いに反対向きに光を発する。すなわち、一方の発光部１７ｃ（以下、第三発光部１７ｃと言う。）は、交差方向において一方側から、他方側にある配置部１５に向かって光を発する。もう一方の発光部１７ｄ（以下、第四発光部１７ｄと言う。）は、交差方向において他方側から、一方側にある配置部１５に向かって光を発する。ここで、「交差方向の一方側」とは、例えば、配置部１５の交差方向一端に近い側を意味し、「交差方向の他方側」とは、配置部１５の交差方向他端側に近い側を意味する。
【００５１】
光照射部１７は、上記４つの発光部１７ａ、１７ｂ、１７ｃ、１７ｄの一部又は全部を用いて、配置部１５に配置された包装袋１、及びその包装袋１に包まれた薬剤に対して光を照射する。このとき、光照射部１７は、図３及び図５から分かるように、配置部１５に配置された包装袋１、及びその包装袋１に包まれた薬剤（つまり、撮影対象部分３ｘ）に対して光を斜め方向から照射する。これは、薬剤の表面に対して斜め方向から光を当てた場合、薬剤の表面に形成された識別情報の輪郭（特に、輪郭のうち、光の照射先にあるエッジ部分）を際立たせることができるからである。
【００５２】
また、本実施形態では、画像撮影部１６が画像を撮影する際に光照射部１７が用いる発光部１７ａ、１７ｂ、１７ｃ、１７ｄを切り換えることが可能である。具体的に説明すると、光照射部１７は、４つの発光部１７ａ、１７ｂ、１７ｃ、１７ｄのうちの一つを用いて光を照射する。光照射部１７が一つの発光部から光を照射している間に、画像撮影部１６が、配置部１５に配置された包装袋１に包まれた薬剤の画像を一回撮影する。その後、光照射部１７は、発光部１７ａ、１７ｂ、１７ｃ、１７ｄのうち、直前に使用していた発光部を別の発光部に切り換え、切り換え後の発光部１７ａ、１７ｂ、１７ｃ、１７ｄを用いて光を照射する。その間に、画像撮影部１６が、配置部１５に配置された包装袋１に包まれた薬剤の画像を再度撮影する。
【００５３】
以降、同様の手順にて光照射部１７が発光部１７ａ、１７ｂ、１７ｃ、１７ｄを順次切り換え、光照射部１７が発光部１７ａ、１７ｂ、１７ｃ、１７ｄを切り換える度に、画像撮影部１６が、配置部１５に配置された包装袋１に包まれた薬剤の画像を撮影する。この結果、配置部１５に配置された一つの包装袋１に包まれた薬剤に対して、光の照射方向別の画像（つまり、薬剤表面各部における光の反射具合が異なる４つの画像）が撮影されることになる。ただし、これに限定されるものではなく、４つの発光部１７ａ、１７ｂ、１７ｃ、１７ｄのうちの２〜４つが同時に点灯し、光照射部１７が、配置部１５に配置された一つの包装袋１に包まれた薬剤に対して、２〜４方向から同時に光を照射してもよい。
【００５４】
なお、光照射部１７が光照射用に用いる発光部１７ａ、１７ｂ、１７ｃ、１７ｄとしては、公知の光源が利用可能であり、点光源、線光源及び面光源のうちのいずれを用いてもよい。具体的には、例えば、ＬＥＤ（ＬｉｇｈｔＥｍｉｔｔｉｎｇ Ｄｉｏｄｅ）、半導体レーザ（ＬＤ：ＬａｓｅｒＤｉｏｄｅ）、及び有機ＥＬ（Ｅｌｅｃｔｒｏ−ｌｕｍｉｎｅｓｃｅｎｃｅ）などの電界発光によるもの、ハロゲン電球及び白熱電球などの放射熱によるもの、水銀灯及び蛍光灯などの放電発光によるもの、並びにこれらの光源と導光板又は光ファイバ等の導光部材とを組み合わせたものが利用可能である。
【００５５】
また、本実施形態では、光照射部１７が４つの発光部１７ａ、１７ｂ、１７ｃ、１７ｄを有することとしたが、発光部（光源）の台数については特に限定されるものではなく、２つ以上設けられていればよい。
また、配置部１５の周りに４つの発光部１７ａ、１７ｂ、１７ｃ、１７ｄを配置する代わりに、円環状の発光部を１つ配置してもよい。このような構成であれば、配置部１５に対して３６０度全方位から光を照射することが可能である。
【００５６】
装置本体１１内には、以上までに述べてきた部分（具体的には、搬送部１４と配置部１５と画像撮影部１６と光照射部１７）に加え、図３に図示の計測部１９が設置されている。計測部１９は、包装袋１の光学特性を計測するものであり、本実施形態では薬剤判定装置１０が有する装置本体１１の内部に設けられている。ここで、「包装袋１の光学特性」とは、包装袋１に包まれた薬剤を画像撮影部１６が撮影した画像の鮮明度（換言すると、ぼやけ具合）に影響を及ぼす包装袋１の光学特性であり、より詳しくは、包装袋１の光透過性及び光散乱特性である。本実施形態に係る計測部１９は、包装袋１の光透過率を計測する。ただし、これに限定されるものではなく、包装袋１の光学特性として、ヘイズ値（曇り度）を計測してもよい。
【００５７】
計測部１９は、公知の光透過率計測器と同様の構成であり、図３に示すように、光源１９ａ及び受光器１９ｂを有する。光源１９ａ及び受光器１９ｂは、配置部１５よりも搬送方向上流側に配置されており、上下方向において光源１９ａ及び受光器１９ｂの間には搬送路１８の一部が介在している。したがって、包装袋連続体３中の各部（すなわち、各包装袋１）は、搬送部１４によって搬送される際に光源１９ａ及び受光器１９ｂの間を通過する。計測部１９は、光源１９ａと受光器１９ｂの間にある包装袋１に向けて光源１９ａから特定の波長を照射し、包装袋１を透過した光を受光器１９ｂにて受光する。そして、計測部１９は、光源１９ａから照射された光の強度と、受光器１９ｂにて受光された光の強度と、に基づいて光透過率を求める。なお、光源１９ａから照射される光の波長は、任意に設定することが可能である。
【００５８】
また、本実施形態において、計測部１９は、搬送路１８の途中位置で包装袋連続体３中の少なくとも一つの包装袋１を対象として、包装袋１の光学特性、厳密には光透過率を計測する。より具体的に説明すると、本実施形態では、計測部１９が包装袋連続体３中、薬剤が入っていない空の包装袋１（すなわち、空袋１Ａ）を対象として光透過率を計測する。これにより、包装袋１の光透過率をより正確に計測することが可能となる。ただし、これに限定されるものではなく、薬剤を包んだ状態の包装袋１を対象として光透過率を計測してもよい。
【００５９】
また、本実施形態において、計測部１９は、新たな包装袋連続体３が装置本体１１内に導入される度に、その包装袋連続体３中にある空袋１Ａを対象として光透過率の計測を行う。
【００６０】
処理装置１２は、調剤鑑査を実施するにあたり、一連の情報処理を実行するものであり、本実施形態では、装置本体１１に外付けされたパーソナルコンピュータ（ＰＣ）によって構成されている。ただし、これに限定されるものではなく、装置本体１１に内蔵されたコンピュータによって処理装置１２が構成されていてもよい。
【００６１】
また、処理装置１２は、装置本体１１、処方条件入力装置５０、及び後述するサーバコンピュータ７０と通信可能に接続されている。なお、処理装置１２と各機器との接続方式については有線接続方式であってもよく、若しくは無線接続方式であってもよい。
【００６２】
また、処理装置１２は、図６に示すように、制御部２１、処方条件情報取得部２２、画像取得部２３、前処理部２４、判定部２５、特性情報取得部２８及び更新処理部２９を有する。図６は、処理装置１２の構成を示すブロック図である。これらの各部は、処理装置１２が備える不図示のＣＰＵ（ＣｅｎｔｒａｌＰｒｏｃｅｓｓｉｎｇ Ｕｎｉｔ）及びメモリ等のハードウェア機器と、処理装置１２に格納された情報処理プログラムとが協働することで実現される。この情報処理プログラムは、同プログラムが記憶されたＣＤ−ＲＯＭ（ＣｏｍｐａｃｔＤｉｓｃ Ｒｅａｄ Ｏｎｌｙ Ｍｅｍｏｒｙ）等の記録媒体から読み出して取得してもよく、あるいは、所定のサイトからネットワーク経由でダウンロードして取得してもよい。
なお、本実施形態では、処理装置１２の各機能部（具体的には、制御部２１、処方条件情報取得部２２、画像取得部２３、前処理部２４、判定部２５、特性情報取得部２８及び更新処理部２９）が一台のパーソナルコンピュータによって構成されているが、これに限定されるものではなく、上記の機能部のうちの一部が一台のパーソナルコンピュータによって構成されており、残りの機能部が別のパーソナルコンピュータによって構成されていてもよい。
【００６３】
制御部２１は、装置本体１１に搭載された駆動制御回路１１ａを介して装置本体１１各部（具体的には、搬送部１４、画像撮影部１６、光照射部１７及び計測部１９）と電気的に接続されており、装置各部を制御する。
【００６４】
より詳しく説明すると、制御部２１は、搬送部１４の搬送動作に関して、一回の搬送動作における搬送量、搬送の向き、及び搬送動作のタイミング等を制御する。また、制御部２１は、画像撮影部１６の撮影動作に関して、画像撮影部１６が有する２台のカメラ１６ａ、１６ｂの中で使用するカメラ、及び画像撮影のタイミング等を制御する。また、制御部２１は、光照射部１７の光照射動作に関して、光照射部１７が有する４つの発光部１７ａ、１７ｂ、１７ｃ、１７ｄの中で使用する発光部、及び光照射のタイミング等を制御する。
【００６５】
また、制御部２１は、計測部１９の光透過率計測に関して、計測タイミング（計測開始時点）を制御する。具体的には、包装袋連続体３が装置本体１１内に導入され、包装袋連続体３の先端（搬送方向において最も下流側に位置する端）が搬送路１８中、計測部１９の光源１９ａと受光器１９ｂとの間の直前位置を通過した時点で、制御部２１は、光源１９ａを点灯し、計測部１９に光透過率の計測を開始させる。
【００６６】
処方条件情報取得部２２は、処方条件入力装置５０と通信可能に接続されており、処方条件入力装置５０と通信することにより、処方条件情報を取得する。ここで、処方条件情報とは、処方条件を示す情報であり、具体的には、薬剤師が処方条件入力装置５０に入力した処方条件を示す電子データである。
【００６７】
なお、本実施形態では、処方条件入力装置５０において処方条件の入力が完了すると、処方条件入力装置５０から処方条件情報取得部２２に向けて処方条件情報が自動的に送られ、処方条件情報取得部２２が上記の処方条件情報を受信することになっている。ただし、これに限定されるものではなく、処方条件情報取得部２２から情報送信要求が送られ、この要求を処方条件入力装置５０が受け付けた時点で処方条件入力装置５０が処方条件情報を送信してもよい。より具体的に説明すると、処方条件を特定するための文字列情報、
あるいは二次元バーコード情報が包装袋連続体３の先端部（包装袋連続体３中、最初に装置本体１１内に導入される部分）に印刷されており、包装袋連続体３が装置本体１１内に導入された際に処方条件情報取得部２２が上記の印刷情報を読み取る。その後、処方条件情報取得部２２は、読み取った印刷情報に基づき、装置本体１１内に導入された包装袋連続体３中の各包装袋１に分包された薬剤に係る処方条件を示す処方条件情報を、処方条件入力装置５０に対して要求する。この要求を受け付けた処方条件入力装置５０は、要求を解析し、要求に係る処方条件情報を特定し、特定した処方条件情報を処理装置１２に向けて送信する。
【００６８】
画像取得部２３は、画像撮影部１６（厳密には、第一カメラ１６ａ及び第二カメラ１６ｂ）と接続されており、ネットワークを介して、画像撮影部１６が撮影した画像を取得する。ここで、画像取得部２３が取得する画像とは、画像データのことであり、具体的には、ＪＰＥＧ（Ｊｏｉｎｔ ＰｔｈｏｔｏｇｒａｐｈｉｃＥｘｐｅｒｔｓ Ｇｒｏｕｐ）形式、ＧＩＦ（ＧｒａｐｈｉｃｓＩｎｔｅｒｃｈａｎｇｅ Ｆｏｒｍａｔ）形式、ＰＮＧ（ＰｏｒｔａｂｌｅＮｅｔｗｏｒｋ Ｇｒａｐｈｉｃｓ）形式、ＴＩＦＦ（ＴａｇｇｅｄＩｍ
ａｇｅ Ｆｉｌｅ Ｆｏｒｍａｔ）形式、及びＢＭＰ（Ｂｉｔｍａｐ Ｉｍａｇｅ）形式等の画像データである。
【００６９】
なお、画像取得部２３は、画像撮影部１６が画像を撮影する度、画像撮影部１６から画像を取得する。より詳しく説明すると、本実施形態では、前述したように、薬剤が分包された一つの包装袋１につき、画像が撮影条件別に複数回（具体的には８回）撮影されることになっている。したがって、画像取得部２３は、各包装袋１及びその包装袋１に包まれた薬剤について、撮影条件別の画像（すなわち、８枚の画像）を取得することになる。また、配置部１５に配置される包装袋１が切り換わると、画像撮影部１６が新たに画像を撮影条件別に撮影するため、これに伴って、画像取得部２３が、新たに撮影された撮影条件別の画像を取得することになる。
【００７０】
前処理部２４は、画像取得部２３が画像撮影部１６から取得した画像（つまり、判定対象の薬剤の画像データ）に対して前処理を実行する。前処理とは、画像取得部２３が取得した画像に写った薬剤の表面に形成された識別情報を強調するための処理である。
【００７１】
具体的に説明すると、本実施形態では、前述したように、一つの包装袋１に包まれた薬剤に対して、画像を光の照射方向を変えて複数回（具体的には、４回）撮影する。ここで、光の照射方向別の画像のそれぞれでは、画像に写った薬剤の表面において光の照度ムラが生じている。こうした光の照度ムラは、薬剤の表面に形成された識別情報を検出及び特定する際に影響を及ぼす。また、光の照度ムラは、光の照射方向に応じて異なる。そこで、前処理部２４は、前処理を実行する。前処理では、光の照射方向別に撮影した画像に対して、照射方向に応じた方向のエッジ抽出フィルタであって、各画像に写った識別情報のエッジ（刻印の溝）の画素数に応じたサイズのエッジ抽出フィルタをそれぞれ用いて、照射方向別のエッジ画像を生成し、その後に複数のエッジ画像を合成して合成画像を生成する。エッジ抽出フィルタとしては、ソーベルフィルタ、ラプラシアンフィルタ、及びキャニーフィルタのうちの少なくとも一つを含むことができ、後の判定方法に応じて適宜選択することができる。
【００７２】
以上の前処理が実施された画像は、光の照射方向に応じて変化する光の照度ムラが極力排除され、画像に写った薬剤の表面に形成されている識別情報が強調された画像となる。詳しくは、薬剤の表面において、識別情報を示す刻印の溝よりも小さい模様及び傷等の刻印以外の情報を低減し、刻印を抽出することが可能となる。
【００７３】
判定部２５は、配置部１５に配置された包装袋１に包まれた薬剤（すなわち、判定対象の薬剤）の種類及び個数を判定するものである。より詳しく説明すると、判定部２５は、処方条件情報から特定される薬剤の種類と対応したマスタ画像と、画像撮影部１６が撮影した判定対象の薬剤の画像（厳密には、前処理部２４によって前処理が実施された画像）とを用いる。そして、判定部２５は、これらの画像を用いて、判定対象の薬剤の種類及び種類別の個数を判定する。
【００７４】
判定部２５によって行われる判定の具体的な手順について、図７を参照しながら説明する。図７は、判定部２５による判定フローの大まかな流れを示す図である。判定部２５による判定フローでは、図７に示すように、先ず、前処理が実施された画像から、判定対象の薬剤が写っている領域を特定する工程が行われる（Ｓ００１）。以下では、前処理が実施された画像を「前処理後画像」と呼ぶこととし、前処理後画像の中で薬剤が写っている領域を「薬剤存在領域」と呼ぶこととする。
なお、本実施形態では、前処理を先に実行してから、前処理によって得られた前処理後画像に対して薬剤存在領域特定工程Ｓ００１、及び後述の画素群抽出工程Ｓ００２を実施することとしたが、これに限定されるものではない。光の照射方向別に取得した撮影画像のそれぞれに対して薬剤存在領域特定工程Ｓ００１及び画素群抽出工程Ｓ００２を実施し、これらの工程が実施された照射方向別の撮影画像（厳密には、後述の薬剤抽出画像Ｘ）に対して、前処理を実施する形でもよい。
【００７５】
薬剤存在領域特定工程Ｓ００１では、前処理後画像に対して公知のエッジ抽出処理及びセグメンテーション処理を行い、画像内の薬剤の輪郭を特定する。そして、特定された輪郭に囲まれた領域を薬剤存在領域として特定する。前処理後画像に複数の薬剤が写っている場合には、薬剤の個数だけ薬剤存在領域を特定する。
【００７６】
薬剤存在領域特定工程Ｓ００１の実施後、判定部２５は、前処理後画像を構成する画素群の中から、薬剤存在領域に該当する画素群を抽出する（Ｓ００２）。抽出された画素群は、図８に示すように、薬剤存在領域を取り囲む矩形（図８中の符号Ｘが付された矩形領域）をなしている。以下では、抽出された画素群を「薬剤抽出画像Ｘ」と呼ぶこととする。なお、薬剤存在領域特定工程Ｓ００１において複数の薬剤存在領域を特定した場合には、薬剤存在領域別に薬剤抽出画像Ｘを特定することになる。
ちなみに、図８は、薬剤抽出画像Ｘの説明図である。なお、図８に図示の画素サイズ（画像に対する画素１つあたりの大きさ）は、図示の都合上、実際の画素サイズよりも大きく描かれている。
【００７７】
また、画素群抽出工程Ｓ００２では、薬剤抽出画像Ｘのサイズ及び位置を特定する。ここで、薬剤抽出画像Ｘのサイズは、薬剤抽出画像Ｘをなす矩形状の画素群の面積であり、図８に図示した二辺の長さｄ１、ｄ２の積に相当する。
【００７８】
また、薬剤抽出画像Ｘの位置は、基準位置を原点とし、搬送方向及び交差方向を座標軸方向としたときの座標位置であり、具体的には、薬剤抽出画像Ｘをなす矩形状の画素群の対角線の交点位置であり、図８に図示の点Ｐの座標に相当する。このように薬剤抽出画像Ｘの位置を特定することにより、画像撮影部１６の撮影範囲（厳密には、第一カメラ１６ａ及び第二カメラ１６ｂのそれぞれの画角）に対する、判定対象の薬剤の撮影位置（配置位置）を特定することが可能となる。なお、本実施形態では、原点とする基準位置は、画像撮影部１６（厳密には、第一カメラ１６ａ及び第二カメラ１６ｂ）の撮影範囲の中央位置に設定されているが、これに限定されるものではなく、任意の位置に設定してもよい。  
【００７９】
画素群抽出工程Ｓ００２の実施後、判定部２５は、処方条件情報取得部２２を用いて取得した処方条件情報から、処方すべき薬剤の種類を特定し、特定した種類の薬剤のマスタ画像をデータベースＤＢから読み出す工程を行う（Ｓ００３）。本工程Ｓ００３では、処方すべき薬剤の種類が複数ある場合、すなわち、複数種類の薬剤が包装袋１に分包される場合には、種類別にマスタ画像を読み出す。
【００８０】
ここで、マスタ画像について説明すると、マスタ画像は、薬剤の種類に対応させて登録された薬剤の画像であり、処方条件情報から特定される種類の薬剤について予め登録された画像である。また、本実施形態において、マスタ画像は、包装袋１に包まれた状態で撮影された薬剤の画像から得られる。
なお、新規の薬剤等についてはマスタ画像が登録されてない場合があり、マスタ画像が登録されていない種類の薬剤については、その薬剤を画像撮影部１６が初めて撮影したときの撮影画像（厳密には、薬剤抽出画像Ｘ）を、マスタ画像として登録することになっている。以下では、判定対象の薬剤のすべてについてマスタ画像が予め登録されているケースを想定して説明することとする。
【００８１】
データベースＤＢについて説明すると、図９に示すように、データベースＤＢは、各薬剤のマスタ画像と薬剤の種類とを互いに対応付けて登録したものである。図９は、マスタ画像を登録したデータベースＤＢの説明図である。
【００８２】
また、データベースＤＢには、マスタ画像のほかに、薬剤名称、薬剤の表面に形成された識別情報、薬剤のサイズとしての平面視サイズ及び厚みが薬剤の種類と対応付けて登録されている。なお、データベースＤＢに登録される情報については、上記の情報に限定されるものではなく、上記の情報以外の情報が登録されていてもよい。
【００８３】
また、本実施形態において、データベースＤＢは、外部のサーバコンピュータ７０に設けられており、判定部２５は、サーバコンピュータ７０と通信してデータベースＤＢにアクセスする。すなわち、本実施形態では、サーバコンピュータ７０がマスタ画像を記憶している。ただし、これに限定されるものではなく、マスタ画像を含むデータベースＤＢが、処理装置１２内の記憶媒体に記憶されてもよい。
【００８４】
マスタ画像をデータベースＤＢから読み出した後、判定部２５は、読み出したマスタ画像と、画像撮影部１６が撮影した判定対象の薬剤の画像（厳密には、薬剤抽出画像Ｘ）とを用いて、判定対象の薬剤の種類及び種類別の個数を判定する（Ｓ００４）。
具体的に説明すると、判定工程Ｓ００４では、複数の薬剤抽出画像Ｘのそれぞれに対して、マスタ画像とのテンプレートマッチングを行い、マスタ画像との間の類似度（相関値）を評価する。類似度の評価方法については、公知のジオメトリックハッシング法又はＬＬＨＡ（ＬｏｃａｌｌｙＬｉｋｅｌｙ ＡｒｒａｎｇｅｍｅｎｔＨａｓｈｉｎｇ）法が利用可能である。そして、複数の薬剤抽出画像Ｘのうち、最も類似度が高い画像に写った薬剤の種類が、マスタ画像に写った薬剤の種類と一致すると判定する。
【００８５】
以上の手順を、読み出したマスタ画像の分だけ（つまり、処方条件情報取得部２２が取得した処方条件情報が示す薬剤の種類の数だけ）繰り返すことにより、判定対象の薬剤のそれぞれについて種類が特定される。その後、判定部２５は、種類が特定された薬剤の数をそれぞれ集計し、種類別の個数を計数する。
【００８６】
以上までに説明した手順にて、判定部２５による判定が行われる。そして、配置部１５に配置される包装袋１が切り換わると（すなわち、判定対象の薬剤が変わると）、その度に判定が繰り返し行われる。つまり、配置部１５に配置される包装袋１が切り換わり、その包装袋１に包まれた薬剤の画像が取得されると、新たに取得した画像を用いて判定が行われる。なお、包装袋連続体３中の各包装袋１に同一の処方条件で薬剤が分包される場合、２回目以降の判定では、１回目の判定で用いたマスタ画像をそのまま流用できるので、マスタ画像をデータベースＤＢから読み出す工程Ｓ００３を省いてもよい。
【００８７】
以上までに説明してきた手順により、包装袋連続体３中の各包装袋１（厳密には、空袋１Ａ以外の包装袋１）に包まれた薬剤に対して判定が行われることで、それぞれの包装袋１に薬剤が処方箋の指示どおりに正しく分包されているどうかを鑑査することが可能である。
【００８８】
特性情報取得部２８は、特性情報を取得するものである。特性情報とは、前述した包装袋１の光学特性を示す情報であり、具体的には、包装袋１の光透過性及び光散乱特性のうちの少なくとも一方を示す情報であり、本実施形態では包装袋１の光透過率を示す情報である。さらに詳しく説明すると、本実施形態に係る特性情報取得部２８は、計測部１９が計測した光学特性、具体的には光透過率の計測結果を示す特性情報を取得する。つまり、特性情報取得部２８は、計測部１９が包装袋連続体３中の空袋１Ａを対象として包装袋１の光透過率を計測すると、計測部１９が有する不図示の伝送路を通じて、計測部１９が計測した包装袋１の光透過率を示す情報（データ）を、計測部１９から取得する。
【００８９】
以上のように、特性情報取得部２８は、包装袋連続体３中の空袋１Ａの光透過率を示す情報を取得するが、光透過率は、包装袋連続体３において空袋１Ａとその他の包装袋１との間で同一である。したがって、特性情報取得部２８は、包装袋連続体３中の空袋１Ａの光透過率を示す情報を取得することで、装置本体１１内に導入された包装袋連続体３中のすべての包装袋１の特性情報（光透過率を示す情報）を取得することになる。ただし、これに限定されるものではなく、計測部１９が包装袋連続体３中の各包装袋１の光透過率を１つずつ計測し、包装袋１の光透過率を示す情報を、特性情報取得部２８が包装袋１別に取得してもよい。
【００９０】
また、新たな包装袋連続体３が薬剤判定装置１０の装置本体１１内に導入されて、計測部１９がその包装袋連続体３中の空袋１Ａを対象として包装袋１の光透過率を計測すると、特性情報取得部２８は、その度に計測部１９の計測結果を取得する。
【００９１】
更新処理部２９は、更新処理を実行するものである。更新処理とは、データベースＤＢに登録されたマスタ画像のうち、更新対象のマスタ画像を、種類が更新対象のマスタ画像に写った薬剤の種類と一致すると判定部２５が判定した判定対象の薬剤の画像（厳密には、薬剤抽出画像Ｘ）に更新するための処理である。
【００９２】
更新処理において、更新処理部２９は、更新要求データを生成し、この更新要求データをサーバコンピュータ７０に向けて送信する。更新要求データは、更新対象のマスタ画像を特定するデータと、更新後のマスタ画像となる判定対象の薬剤の画像（すなわち、種類が更新対象のマスタ画像に写った薬剤の種類と一致すると判定部２５が判定した判定対象の薬剤の画像）と、を含む。サーバコンピュータ７０は、更新要求データを更新処理部２９から受信すると、データベースＤＢから更新対象のマスタ画像を特定し、そのマスタ画像を、更新処理部２９から送られてきた判定対象の薬剤の画像に変更する。
【００９３】
また、サーバコンピュータ７０は、マスタ画像を更新すると、マスタ画像管理テーブルＭＴを更新する。マスタ画像管理テーブルＭＴは、データベースＤＢに登録されている最新のマスタ画像に関する情報を収録したものであり、図１０に示すように、各マスタ画像について薬剤の種類、登録時、特性情報、及び撮影位置等を収録している。図１０は、マスタ画像管理テーブルＭＴについての説明図である。
【００９４】
マスタ画像管理テーブルＭＴに収録されている情報について説明すると、薬剤の種類は、マスタ画像に写った薬剤の種類を示す情報である。登録時は、マスタ画像の登録時刻、または直近の更新時刻を示す情報である。特性情報は、マスタ画像に写った包装袋１の特性情報、より詳しくは、マスタ画像に写った薬剤を包んだ包装袋１について特性情報取得部２８が取得した特性情報であり、具体的には、薬剤判定装置１０の計測部１９によって計測された光透過率を示す情報である。
【００９５】
撮影位置は、マスタ画像として登録された判定対象の薬剤の画像が画像撮影部１６によって撮影された時点での、画像撮影部１６に対する判定対象の薬剤の位置である。より詳しく説明すると、撮影位置は、基準位置を原点とし、搬送方向及び交差方向を座標軸方向としたときの座標位置であり、マスタ画像として登録された薬剤抽出画像Ｘの中央位置を示し、図８に図示の点Ｐの座標に相当する。なお、本実施形態において、原点である基準位置は、画像撮影部１６の撮影範囲（厳密には、第一カメラ１６ａ及び第二カメラ１６ｂのそれぞれの画角）の中央位置に設定されている。ただし、これに限定されるものではなく、基準位置については、任意の位置に設定してもよい。
【００９６】
また、マスタ画像管理テーブルＭＴに収録される情報については、上述した情報に限定されず、上述した情報以外の情報が含まれていてもよい。また、本実施形態では、マスタ画像管理テーブルＭＴがサーバコンピュータ７０に記憶されていることとしたが、これに限定されず、処理装置１２の記憶媒体にマスタ画像管理テーブルＭＴが記憶されてもよい。
【００９７】
更新処理部２９についての説明に戻ると、判定対象の薬剤の種類がマスタ画像に写った薬剤の種類（すなわち、処方条件情報から特定される薬剤の種類）と一致すると判定部２５が判定したとき、更新処理部２９は、更新処理実行の要否を判断し、更新処理の実行が必要であると判断した場合に更新処理を実行する。
【００９８】
具体的に説明すると、判定対象の薬剤についての適否を判定する前段階では、特性情報取得部２８が、包装袋連続体３の各包装袋１の光透過率を示す特性情報を取得している。それ故に、判定対象の薬剤の種類がマスタ画像に写った薬剤の種類と一致すると判定部２５が判定すると、その場合には、特性情報取得部２８は、種類がマスタ画像に写った薬剤の種類と一致すると判定部２５が判定した判定対象の薬剤について、その薬剤を包む包装袋１の光透過率を示す情報を取得していることになる。なお、以下では、説明の便宜上、種類がマスタ画像に写った薬剤の種類と一致すると判定部２５が判定した判定対象の薬剤を、「判定済み薬剤」と呼ぶこととし、判定済み薬剤を包んだ包装袋１を、「判定済み薬剤用包装袋」と呼ぶこととする。
【００９９】
更新処理部２９は、判定済み薬剤用包装袋について特性情報取得部２８が取得した特性情報が示す光学特性（すなわち、判定済み薬剤用包装袋の光透過率）が、その光学特性に対する基準を満たしているかどうかを判断する。そして、判定済み薬剤用包装袋の光透過率が基準を満たしているとき、更新処理部２９は、判定済み薬剤の画像をマスタ画像とする更新処理を実行する。
【０１００】
更新処理実行の要否の判断について詳しく説明すると、更新処理部２９は、図１１に図示の判断フロー（以下、更新フローと言う。）に従って、更新処理実行の要否を判断する。図１１は、更新フローの流れを示す図である。以下、更新処理実行の要否を更新処理部２９がどのように判断するかについて、図１１を参照しながら説明する。
【０１０１】
更新処理部２９は、特性情報取得部２８によって取得された判定済み薬剤用包装袋の特性情報が示す光学特性（すなわち、光透過率）が閾値を超えたどうかを判断する（Ｓ０５１）。ここで、閾値とは、更新処理を実行するか否かを判断するための基準として予め設定された値であり、処理装置１２の記憶媒体に記憶されている。更新処理部２９は、この閾値を読み出して、判定済み薬剤用包装袋の光透過率と閾値との大小関係を特定する。
【０１０２】
そして、更新処理部２９は、判定済み薬剤用包装袋の光透過率が閾値を超えていると判断したとき（Ｓ０５１でＹｅｓ）、さらに、判定済み薬剤用包装袋の光透過率がマスタ画像に写った包装袋１の光透過率を超えているかどうかを判断する（Ｓ０５２）。具体的に説明すると、更新処理部２９は、サーバコンピュータ７０と通信し、サーバコンピュータ７０に記憶されたマスタ画像管理テーブルＭＴにアクセスする。更新処理部２９は、マスタ画像管理テーブルＭＴから、判定済み薬剤の種類（換言すると、処方条件情報から特定される薬剤の種類）と対応するマスタ画像の特性情報を読み出し、読み出した特性情報が示す光学特性を特定する。例えば、図１０に図示のマスタ画像管理テーブルＭＴを用いるケースにおいて、判定済み薬剤の種類がＦ１である場合には、特性情報が示す光学特性（すなわち、光透過率）は、９０である。
【０１０３】
そして、更新処理部２９は、判定済み薬剤用包装袋の光透過率がマスタ画像に写った包装袋１の光透過率を超えたと判断した場合（Ｓ０５２でＹｅｓ）、判定済み薬剤の画像をマスタ画像とする更新処理を実行する（Ｓ０５３）。
以上のように、更新処理部２９は、特性情報取得部２８によって取得された判定済み薬剤用包装袋の光透過率が閾値、及びマスタ画像に写った包装袋１の光透過率を超えているかどうかを判断する。そして、更新処理部２９は、判定済み薬剤用包装袋の光透過率が閾値、及びマスタ画像に写った包装袋１の光透過率を超えているときに更新処理を実行する。このようにすれば、より鮮明度の高いクリアな画像がマスタ画像として残るようにマスタ画像を更新することができるため、更新後のマスタ画像を用いた以降の判定（鑑査）をより精度よく行うことが可能となる。
【０１０４】
一方、更新処理部２９は、判定済み薬剤用包装袋の光透過率がマスタ画像に写った包装袋１の光透過率を超えていないと判断した場合（Ｓ０５２でＮｏ）、判定済み薬剤の撮影位置がマスタ画像に写った薬剤の撮影位置よりも画像撮影部１６の撮影範囲の中央に近いかどうかを判断する（Ｓ０５４）。かかる判断の手順について、図１２に図示のケースを例に挙げて具体的に説明する。図１２は、更新処理実行の要否を判断する手順についての説明図であり、詳しくは、更新フローのステップＳ０５４における判断手順について説明するために挙げた具体例を示す図である。
【０１０５】
図１２について説明すると、図の左側半分には、包装袋連続体３において判定済み薬剤ｆｎを含む撮影対象部分３ｘを画像撮影部１６が撮影したときの撮影画像Ｊｎが図示されている。図１２の右側半分には、判定済み薬剤を対象とした判定において用いられたマスタ画像Ｊｍと、そのマスタ画像Ｊｍが抽出された抽出元画像Ｊｏとが図示されている。マスタ画像Ｊｍに写った薬剤（以下、マスタ画像の薬剤ｆｍと言う。）は、過去の判定済み薬剤に該当する。また、抽出元画像Ｊｏは、包装袋連続体３においてマスタ画像の薬剤ｆｍを含む撮影対象部分３ｘを画像撮影部１６が撮影したときの撮影画像に該当する。
【０１０６】
更新処理部２９は、判定済み薬剤ｆｎの撮影位置として、判定済み薬剤ｆｎが写った画像である薬剤抽出画像Ｘの中央の座標位置（図１２中、記号Ｐｎにて表される位置）を特定する。かかる位置は、判定フローにおいて特定される薬剤抽出画像Ｘの位置と同位置である。
【０１０７】
また、更新処理部２９は、マスタ画像の薬剤ｆｍの撮影位置として、マスタ画像Ｊｍの中央の座標位置（図１２中、記号Ｐｍにて表される位置）を特定する。より具体的に説明すると、更新処理部２９は、サーバコンピュータ７０に記憶されたマスタ画像管理テーブルＭＴにアクセスし、マスタ画像の薬剤ｆｍの種類と対応するマスタ画像の撮影位置（図１０参照）を読み出すことにより、マスタ画像Ｊｍの中央の座標位置Ｐｍを特定する。
【０１０８】
上記２つの座標位置Ｐｍ、Ｐｎを特定した後、更新処理部２９は、いずれの座標位置が画像撮影部１６の撮影範囲の中央位置（図１２中、記号Ｑにて表される位置）に近いかを判断する。図１２に図示のケースでは、座標位置Ｐｎ、すなわち、判定済み薬剤ｆｎの撮影位置の方が画像撮影部１６の撮影範囲の中央位置により近いと、更新処理部２９が判断することになる。
【０１０９】
そして、更新処理部２９は、判定済み薬剤ｆｎの撮影位置がマスタ画像の薬剤ｆｍの撮影位置よりも画像撮影部１６の撮影範囲の中央Ｑに近いと判断すると（Ｓ０５４でＹｅｓ）、判定済み薬剤の画像をマスタ画像とする更新処理を実行する（Ｓ０５３）。
以上のように、更新処理部２９は、判定済み薬剤用包装袋について特性情報取得部２８が取得した特性情報が示す光透過率が閾値を超えており、且つ、判定済み薬剤の撮影位置がマスタ画像の薬剤の撮影位置よりも画像撮影部１６の撮影範囲の中央Ｑに近いかどうかを判断する。そして、更新処理部２９は、判定済み薬剤用包装袋の光透過率が閾値を超えており、且つ、判定済み薬剤の撮影位置がマスタ画像の薬剤の撮影位置よりも画像撮影部１６の撮影範囲の中央Ｑに近いときに更新処理を実行する。画像撮影部１６の撮影範囲の中央Ｑに近い位置で撮影された薬剤の画像は、中央Ｑから離れた位置で撮影された薬剤の画像に比べて、薬剤の正面画像に近い画像となる。したがって、上記のようにすれば、正面画像により近い画像をマスタ画像として残るようにマスタ画像を更新することができるため、更新後のマスタ画像を用いた以降の判定をより精度よく行うことが可能となる。
【０１１０】
一方、更新処理部２９は、判定済み薬剤ｆｎの撮影位置がマスタ画像の薬剤ｆｍの撮影位置よりも画像撮影部１６の撮影範囲の中央Ｑから離れていると判断したときには（Ｓ０５４でＮｏ）、更新処理を実行しない。また、更新処理部２９は、特性情報取得部２８によって取得された判定済み薬剤用包装袋の光透過率が閾値を下廻ると判断したときも（Ｓ０５１でＮｏ）、更新処理を実行しない。
【０１１１】
以上までに更新フローの流れについて一例を挙げて説明してきたが、上記の流れに限定されるものではなく、例えば、特性情報取得部２８によって取得された判定済み薬剤用包装袋の光透過率が閾値を超えている場合には、常に更新処理を実行してもよい。また、閾値を用いなくてもよく、その場合には、判定済み薬剤用包装袋の光透過率がマスタ画像に写った包装袋１の光透過率を超えているかを判断して（すなわち、前述のステップＳ０５２と同様の判断を行う）、更新処理実行の要否を判断してもよい。
【０１１２】
また、マスタ画像が登録されてない新規薬剤については、前述したように、その新規薬剤を画像撮影部１６が初めて撮影したときの撮影画像（厳密には、薬剤抽出画像Ｘ）を、マスタ画像として登録することになっている。ここで、新規薬剤の撮影画像が複数得られた場合、例えば、同じ種類の新規薬剤が一つの包装袋１の中に複数存在する場合、最も基準を満たしている一の撮影画像をマスタ画像として登録するのが望ましい。
【０１１３】
＜＜薬剤判定装置の基本動作＞＞
次に、薬剤判定装置１０の基本動作について図１３を参照しながら説明する。図１３は、薬剤判定装置１０の基本動作の流れを示す図である。なお、以下に説明する薬剤判定装置１０の基本動作において、本発明の薬剤判定方法が実現されており、特に、基本動作中の処方条件情報の取得Ｓ０１１、特性情報取得工程Ｓ０１３、画像撮影工程Ｓ０１６、判定フローＳ０２２及び更新処理実行工程Ｓ０２５が、本発明の薬剤判定方法を構成する。
【０１１４】
先ず、処方箋入力作業において処方条件情報の入力が完了すると、処理装置１２の処方条件情報取得部２２が、処方条件入力装置５０と通信し、入力された処方条件を示す処方条件情報を取得する（Ｓ０１１）。
【０１１５】
一方で、入力された処方条件（換言すると、処方条件情報取得部２２が取得した処方条件情報が示す処方条件）に則って分包機６０により自動分包作業が行われると、薬剤を包んだ包装袋１が連なった帯状の包装袋連続体３が作成される。この包装袋連続体３は、装置本体１１の筐体１３に形成された導入部１３ａによって、装置本体１１内部に導入される（Ｓ０１２）。
【０１１６】
装置本体１１内に導入された包装袋連続体３は、搬送部１４によって搬送路１８を搬送方向下流側に向かって移動する。このとき、包装袋連続体３は、空袋１Ａが位置する側の端（先端）が搬送方向下流側に位置した状態で移動する。包装袋連続体３が搬送方向下流側に移動すると、やがて、包装袋連続体３の先端側に位置する空袋１Ａが計測部１９の光源１９ａと受光器１９ｂとの間を通過する。このとき、計測部１９が、包装袋１の特性情報として空袋１Ａの光透過率を計測する。そして、計測部１９が計測した光透過率を示す特性情報が処理装置１２に送られ、処理装置１２の特性情報取得部２８が、計測部１９から送られてくる特性情報を取得する。
【０１１７】
その後、搬送部１４による搬送動作が間欠的に繰り返し行われる（Ｓ０１４）。これにより、包装袋連続体３中の空袋１Ａが配置部１５上を通過した後、空袋１Ａと隣接する包装袋１が配置部１５に配置されるようになる。そして、搬送動作が行われる度に、包装袋連続体３中、配置部１５に配置される包装袋１が切り換わる。各搬送動作では、包装袋連続体３を所定量だけ搬送方向下流側に搬送する。
【０１１８】
搬送動作と次の搬送動作との間の期間（つまり、包装袋連続体３の搬送が停止している間）には、光照射部１７が、配置部１５に配置された包装袋１に包まれた薬剤に対して光を照射する（Ｓ０１５）。その状態で、画像撮影部１６が第一カメラ１６ａ及び第二カメラ１６ｂのそれぞれを用いて、配置部１５に配置された包装袋１に包まれた画像（すなわち、判定対象の薬剤）を撮影する（Ｓ０１６）。
【０１１９】
光照射部１７による光照射工程Ｓ０１５について詳しく説明すると、光照射部１７は、配置部１５の周りに配置された４つの発光部１７ａ、１７ｂ、１７ｃ、１７ｄの一つからから光を照射した後、発光部を順次切り換え（Ｓ０１７、Ｓ０１８）、切換え後の発光部１７ａ、１７ｂ、１７ｃ、１７ｄから光を再度照射する。つまり、光照射部１７は、光の照射方向を順次切り換え、それぞれの方向から光を照射する。そして、画像撮影部１６は、判定対象の薬剤の画像を光の照射方向別に撮影する。これにより、配置部１５に配置された包装袋１に包まれている薬剤については、計８つ（カメラの台数×光の照射方向の数）の画像が撮影されることになる。
【０１２０】
なお、上述した光照射工程Ｓ０１５、画像撮影工程Ｓ０１６、及び発光部切換え工程Ｓ０１８は、配置部１５に配置されている包装袋１が搬送動作に伴って切り換わる度に繰り返し行われる。
【０１２１】
撮影された画像は、随時、処理装置１２の画像取得部２３に伝送される（Ｓ０１９）。その後、画像取得部２３が取得した画像に対して、処理装置１２の前処理部２４によって前処理が実施される（Ｓ０２０）。これにより、薬剤の表面に刻印にて形成された識別情報のエッジが強調された前処理後画像が生成される。
【０１２２】
一方で、処理装置１２の判定部２５が、前処理後画像に写った薬剤（すなわち、判定対象の薬剤）に係る処方条件を特定する（Ｓ０２１）。具体的には、Ｓ０１１で取得した処方条件情報から、包装袋連続体３中の各包装袋１に分包された薬剤に対して設定された処方条件（詳しくは、薬剤の種類及び種類別の個数）を特定する。
【０１２３】
その後、判定部２５は、上述した判定フローの手順により、包装袋連続体３中の各包装袋１に分包された薬剤の種類及び個数を判定する（Ｓ０２２）。判定フローにおいて、判定部２５は、サーバコンピュータ７０のデータベースＤＢにアクセスし、前工程Ｓ０２１で特定した処方条件（具体的には、薬剤の種類）と対応するマスタ画像を読み出す。そして、判定部２５は、前処理後画像とマスタ画像とを用いて、配置部１５に配置された包装袋１に包まれた薬剤の種類及び種類別の個数を判定する。
以上までに説明してきた搬送動作から判定フローまでの一連の工程Ｓ０１４〜Ｓ０２２は、包装袋連続体３中の各包装袋１内の薬剤に対して判定が終了するまで、配置部１５に配置される包装袋１が切り換わる都度、繰り返し実施される（Ｓ０２３）。
【０１２４】
判定部２５は、包装袋連続体３中の各包装袋１に分包された薬剤を判定対象として上記の判定を行い、すべての判定が終了すると、その結果（判定結果）を示す文字情報をディスプレイに表示する（Ｓ０２４）。詳しく説明すると、判定部２５は、配置部１５に配置された包装袋１に包まれた薬剤の種類についての判定結果を報知するための文字情報をディスプレイに表示する。
なお、ディスプレイに表示する判定結果については、包装袋連続体３中のどの包装袋１に包まれた薬剤に対する判定結果であるかが明瞭に把握できればよく、包装袋１別に切り換えて判定結果を表示してもよく、あるいは、包装袋連続体３を構成する包装袋１のそれぞれの判定結果を、包装袋１の位置又は順序と対応付けつつ、まとめて表示してもよい。
【０１２５】
一方、更新処理部２９が、前述の更新フロー（図１１参照）に従って更新処理実行の要否を判断し、処理実行が必要であると判断したときには更新処理を実行し、サーバコンピュータ７０に記憶されたマスタ画像のうち、更新対象のマスタ画像を更新する（Ｓ０２５）。
【０１２６】
そして、搬送部１４の搬送動作によって包装袋連続体３が装置本体１１の筐体１３の排出部に到達し、包装袋連続体３の末端側にある包装袋１（搬送方向において最も上流側に位置する包装袋１）が筐体１３の外に排出された時点で、薬剤判定装置１０の基本動作が終了する。
なお、更新フローに則った更新処理実行の要否の判断、及び、更新処理が必要であると判断した場合の更新処理の実行については、包装袋連続体３が筐体１３の外に排出された後の時点で行われてもよい。
【０１２７】
＜＜本実施形態に係る薬剤判定装置の有効性＞＞
本実施形態に係る薬剤判定装置１０は、以上までに説明してきたように、マスタ画像の更新の要否を判断するにあたり、判定済み薬剤用包装袋について、画像の鮮明度に影響を及ぼす特性を示す特性情報（具体的には、光透過率を示す情報）を取得する。そして、取得した特性情報が示す特性（具体的には、光透過率）が基準を満たしたときにのみ、判定済み薬剤の画像をマスタ画像とするための更新処理を実行する。
【０１２８】
以上のように、本実施形態に係る薬剤判定装置１０によれば、特許文献１に記載した判定方法のように、判定においてマスタ画像に写った薬剤の種類と一致すると判定された薬剤の撮影画像を、常に新たなマスタ画像としてマスタ画像を更新するとは限らない。具体的には、撮影画像（すなわち、新たなマスタ画像の候補）の鮮明度を考慮した上で、マスタ画像更新の要否を判断する。これにより、更新が必要である場合（例えば、マスタ画像の更新が後の判定で有利になる場合）にのみ、マスタ画像の更新を行うことが可能となる。この結果、マスタ画像を常に更新する場合と比較して、更新に要する時間を短縮することが可能となる。また、より鮮明度の高い画像をマスタ画像として残すことができるので、それ以降には、薬剤の種類を精度よく判定することが可能となる。
【０１２９】
＜＜その他の実施形態＞＞
以上までに本発明の薬剤判定装置及び薬剤判定方法について、具体的な一例を挙げて説明してきたが、上記の実施形態は、あくまでも一例であり、他の実施形態も考えられる。例えば、上記の実施形態では、包装袋１内に複数の薬剤が分包されていて、これらの薬剤（複数の薬剤）が判定対象の薬剤となるケースを例に挙げて説明したが、これに限定されるものではない。包装袋１内に分包される薬剤の個数は、任意に設定することが可能であり、１つのみであってもよく、あるいは、２つ以上であってもよい。
【０１３０】
また、上記の実施形態では、包装袋１の光学特性（光透過性又は光散乱特性）を、薬剤判定装置１０内部に設けられた計測部１９によって計測することとした。より具体的に説明すると、上記の実施形態では、包装袋連続体３を搬送している間に、計測部１９が装置本体１１内部において包装袋１の光透過率を計測することとした。ただし、これに限定されるものではなく、図１４に図示の計測部１９を用いて、包装袋１の光学特性を薬剤判定装置１０の外で計測してもよい。図１４は、積分球を用いて包装袋１の光学特性を計測する方法を示す模式図である。
【０１３１】
図１４に図示の計測部１９は、薬剤判定装置１０の外に配置された計測器である。この計測部１９は、光源１９ｃと、この光源１９ｃと対向する位置に開口が形成された中空球体状の積分球１９ｄと、積分球１９ｄ内に配置された遮光部１９ｅと、積分球１９ｄ内の明るさを検知する検知部１９ｆと、を有する。このような構成の計測部１９において、積分球１９ｄ内に包装袋１を配置し、この包装袋１に対して光源１９ｃからの光を積分球１９ｄの開口を通じて照射する。包装袋１に照射された光は、散乱光及び全反射光として包装袋１の表面から出射される。このうち、全反射光は、遮光部１９ｅによって遮断される。これに対して、散乱光は、積分球１９ｄの内壁面に当たり拡散反射を繰り返す。なお、やがて、積分球１９ｄ内では明るさが均一化され、その明るさが検知部１９ｆによって検知される。そして、検知部１９ｆによって検知された積分球１９ｄ内の明るさと、光源１９ｃから照射された光量との関係から、包装袋１の光透過性又は光散乱特性、具体的には光透過率又はヘイズ値が求められる。
以上のような構成の計測部１９を用いて、薬剤判定装置１０の外で、包装袋１の光透過性又は光散乱特性を計測した場合には、その計測結果を示す特性情報が計測部１９から薬剤判定装置１０の処理装置１２に入力されることにより、処理装置１２の特性情報取得部２８が、薬剤判定装置１０の外で計測された包装袋１の光学特性を示す特性情報を取得することになる。
【０１３２】
また、上記の実施形態では、処理装置１２の特性情報取得部２８が、光透過度のような光透過性、及びヘイズ値のような光散乱特性を示す特性情報を取得することとした。ただし、特性情報については、上記の情報に限定されない。すなわち、特性情報は、画像撮影部１６が撮影した画像の鮮明度に影響を及ぼす光学特性を示す情報であればよく、例えば、図１５に示すコントラストと空間周波数との対応関係を示すＭｏｄｕｌａｔｉｏｎＴｒａｎｓｆｅｒ Ｆｕｎｃｔｉｏｎ曲線（以下、ＭＴＦ曲線）であってもよい。図１５は、ＭＴＦ曲線の一例を示す図である。包装袋１のＭＴＦ曲線は、公知の測定法（例えば、矩形波チャート法）を用いて測定可能である。
なお、特性情報取得部２８は、包装袋１の光透過率、ヘイズ値、及びＭＴＦ曲線のうちの少なくとも一つを示す特性情報を取得すると好ましい。また、特性情報には、これら以外の光学特性が含まれていてもよい。
【０１３３】
また、上記の実施形態では、薬剤師が患者に薬剤を処方するにあたって、包装袋１に分包された薬剤を鑑査するために用いられる薬剤判定装置１０を例に挙げて説明した。ただし、薬剤判定装置１０の用途は、上記の用途に限定されるものではなく、患者が病院等の施設に入院する際に薬剤を包装袋１に包まれた状態で持参したときに、施設のスタッフがその持参薬剤の種類及び数量（厳密には、種類別の数量）を把握する目的で薬剤判定装置１０を利用してもよい。
【符号の説明】
【０１３４】
１  包装袋
１Ａ  空袋
３  包装袋連続体
３ｘ  撮影対象部分
３ｙ  切り取り線
１０  薬剤判定装置
１１  装置本体
１１ａ  駆動制御回路
１２  処理装置
１３  筐体
１３ａ  導入部
１４  搬送部
１４ａ，１４ｂ  ニップローラ
１５  配置部
１６  画像撮影部
１６ａ  第一カメラ
１６ｂ  第二カメラ
１７  光照射部
１７ａ  第一発光部
１７ｂ  第二発光部
１７ｃ  第三発光部
１７ｄ  第四発光部
１８  搬送路
１９  計測部
１９ａ  光源
１９ｂ  受光器
１９ｃ  光源
１９ｄ  積分球
１９ｅ  遮光部
１９ｆ  検知部
２１  制御部
２２  処方条件情報取得部
２３  画像取得部
２４  前処理部
２５  判定部
２８  特性情報取得部
２９  更新処理部
５０  処方条件入力装置
５５  薬剤棚
６０  分包機
７０  サーバコンピュータ
ＤＢ  データベース
ｆｍ  マスタ画像の薬剤
ｆｎ  判定済み薬剤
Ｊｍ  マスタ画像
Ｊｎ  撮影画像
Ｊｏ  マスタ画像元画像
ＭＴ  マスタ画像管理テーブル
Ｘ  薬剤抽出画像
【図１】
0006974595.tif 000002
【図２】
0006974595.tif 000003
【図３】
0006974595.tif 000004
【図４】
0006974595.tif 000005
【図５】
0006974595.tif 000006
【図６】
0006974595.tif 000007
【図７】
0006974595.tif 000008
【図８】
0006974595.tif 000009
【図９】
0006974595.tif 000010
【図１０】
0006974595.tif 000011
【図１１】
0006974595.tif 000012
【図１２】
0006974595.tif 000013
【図１３】
0006974595.tif 000014
【図１４】
0006974595.tif 000015
【図１５】
0006974595.tif 000016